(57)【要約】【課題】カーテンの取り外し及び取り付けを容易にし、取り付けたまま洗濯してもカーテン生地が傷まないカーテンフックを提供する。【解決手段】主杆２と、主杆２の下端から上方に延びる根元部７と、根元部７から主杆１側に折り曲げられた先端部６とを備えた挿入杆５を備えたことを特徴とするカーテンフック１とする。主杆１の上端は丸みを帯び取付孔４を備え、主杆２と先端部６との間に間隙８が、主杆２と挿入杆５により空間部９が、それぞれ形成されている。【選択図】図１
2006312024.tif 000002
【特許請求の範囲】
【請求項１】
主杆と、前記主杆の下端から上方に延びる根元部と前記根元部から前記主杆側に折り曲げられた先端部とを備えた挿入杆と、を備えたことを特徴とするカーテンフック。
【請求項２】
前記主杆の上端部に孔部を備えた請求項１に記載のカーテンフック。
【請求項３】
前記主杆の上端部に膨大部を備えた請求項１に記載のカーテンフック。
【請求項４】
テープ長手方向に間隔をおいて短冊部が縫い付けられたカーテンテープであって、前記短冊部のテープ長手方向両側端部及びテープ方向中央部が縫い付けられ、テープ長手方向中央部の縫い付け部は、テープ幅方向の両端の一部を除いて縫い付けられていることを特徴とするカーテンテープ。
【請求項５】
更に、前記短冊部のテープ幅方向の下端部が縫い付けられている請求項４に記載のカーテンテープ。
【請求項６】
請求項４又は５に記載のカーテンテープが縫い付けられたカーテン。
【発明の詳細な説明】
【技術分野】
【０００１】
本発明は、カーテンフック及びカーテンテープに関し、より詳しくは布地の一部又は全部がメッシュになっているメッシュカーテンに使用されるカーテンフック及びカーテンテープに関する。
【背景技術】
【０００２】
従来から、遮光や部屋の間仕切りのために、種々のカーテンが使用されている。襞付きのプリーツカーテンと襞のないフラットカーテンに大別される。特許文献１に示されるように、フラットカーテンの上端にカーテンテープを縫い付け、該カーテンテープには筒状部が間隔をおいて縫製されている。該筒状部にカーテンフックの挿入杆を挿入して、カーテンをカーテンレールに取り付けている。
【特許文献１】特開２００４−３３７３６５号公報（図５）。
【０００３】
フラットカーテンは部屋の間仕切りに好適に使用される。例えば、病室や診療室などの医療現場での間仕切り用として数多く使用されている。かかる用途では、フラットカーテンは天井近くに取り付けられたカーテンレールに取り付けられ、床近くまで高さを有している。そのため、スプリンクラからの放水の透過性やカーテンで囲まれた空間の通気性を確保するために、カーテンの上部（例えば、高さ方向に渡って約６０ｃｍ）を粗いメッシュ地（例えば、１０ｍｍ間隔のメッシュ）としたメッシュカーテンが使用されることがある。
【発明の開示】
【発明が解決しようとする課題】
【０００４】
カーテンフックをカーテンから取り外すより、カーテンフックを付けた状態でカーテンレールから取り外す方が簡単な作業で済む。取り付け作業においても同様である。そのため、カーテンを洗濯する場合、カーテンフックを付けた状態でカーテンを取り外し、そのまま洗濯することが多い。
【０００５】
しかしながら、カーテンフックを付けたままメッシュカーテンカーテンを洗濯すると、カーテンフックの先鋭な先端部分がメッシュを損傷したり、カーテンフックがメッシュに絡まったりする問題がある。また、洗濯中にカーテンフックが外れても同様の問題が起こる。そのため、カーテンフックをカーテンから取り外した後、カーテンを洗濯していた。
【０００６】
一方、衛生上の観点から、医療現場で使用されるメッシュカーテンは頻繁に洗濯されている。カーテンの取り外し及び取り付けの作業は、手間のかかる煩雑な作業で問題となっていた。
【０００７】
カーテンの取り外しや取り付けを容易にするために、カーテンフックとカーテンとを面ファスナにより取り付ける方法も採られているが、面ファスナ雄面のフックや突起が折れて異物となることがあり、医療現場においては必ずしも好ましい方法ではなかった。
【０００８】
従って、本発明の目的は、カーテンの取り外し及び取り付けを容易にし、取り付けたまま洗濯してもカーテン生地が傷まないカーテンフックを提供することにある。
【課題を解決するための手段】
【０００９】
上記課題を解決するために、鋭意研究を重ねた結果、請求項１の発明は、主杆と、前記主杆の下端から上方に延びる根元部と前記根元部から前記主杆側に折り曲げられた先端部とを備えた挿入杆と、を備えたことを特徴とするカーテンフックである。
【００１０】
挿入杆をカーテンテープに挿入しても、挿入杆の先端部が折り曲げられているので、洗濯中にカーテン、特にメッシュ地を損傷することがない。
【００１１】
後述するカーテンテープを使用することにより、カーテンテープの短冊部で挿入杆を覆うことができるので、先端部がカーテンテープ内に収められる。その結果、カーテンフックを取り付けたまま洗濯することができる。
【００１２】
請求項２の発明は、前記主杆の上端部に孔部を備えた請求項１に記載のカーテンフックである。
【００１３】
主杆の上端部に孔部を備えたカーテンフックとすることで、Ｓカンを介して既存のカーテンレールに取り付けることができるカーテンフックでもある。また、容易にカーテンの取り付け及び取り外しをすることも可能となる。
【００１４】
請求項３の発明は、前記主杆の上端部に膨大部を備えた請求項１に記載のカーテンフックである。
【００１５】
主杆の上端部に膨大部を備えたカーテンフックとすることで、該膨大部が嵌入可能な空洞部を備えたＳカンを介して既存のカーテンレールに取り付けることができるカーテンフックでもある。これにより、容易にカーテンのレールへの取り付け及び取り外しをすることも可能となる。
【００１６】
請求項４の発明は、テープ長手方向に間隔をおいて短冊部が縫い付けられたカーテンテープであって、前記短冊部のテープ長手方向両側端部及びテープ長手方向中央部が縫い付けられ、テープ長手方向中央部の縫い付け部は、テープ幅方向の両端の一部を除いて縫い付けられていることを特徴とするカーテンテープである。
【００１７】
請求項５の発明は、更に、前記短冊部のテープ幅方向の下端部が縫い付けられている請求項４に記載のカーテンテープである。
【００１８】
請求項６の発明は、請求項４又は５に記載のカーテンテープが縫い付けられたカーテンである。
【００１９】
短冊部のテープ長手方向両端部のほか、短冊部のテープ長手方向中央部が縫い付けられている。したがって、前記テープ長手方向中央部の縫い付け部がカーテンフックの挿入杆と主杆とにより形成された空間部に収まるように、カーテンフックを取り付けることができ、カーテンフックが抜けにくくなる。しかも、前記テープ長手方向中央部の縫い付け部より短冊部のテープ幅方向長さが長いので、フックの挿入杆を十分に覆うことができる。更に、短冊部のテープ幅方向の下端部が縫い付けられていると、フックの挿入杆の下端部も覆うことができ、洗濯時のカーテン損傷防止効果がより向上するほか、外観上の観点からも好ましい。
【００２０】
その結果、カーテンフックを付けたまま洗濯しても、フックが外れることがない。また、先鋭な突起が覆われるので、カーテン、特にメッシュ地の損傷を防止することができる。
【００２１】
なお、本発明において、「縫い付け」とは、糸による通常の縫い付けの他、接着や溶着を含む概念である。
【発明の効果】
【００２２】
本発明のカーテンフックは、主杆と挿入杆の根元部との間に、挿入杆の先端部を折り曲げた構造とした。更に、テープ長手方向に間隔をおいて短冊部を縫い付けたカーテンテープにおいて、少なくとも短冊部のテープ長手方向中央にも縫い付け部を備えた構造で、好ましくは更に短冊部のテープ幅方向の下端部が縫い付けられた構造とした。その結果、カーテンテープにカーテンフックを取り付けた状態でも先鋭な先端部分が露出しない。メッシュカーテンであっても、カーテンフックを取り付けたまま洗濯することができ、カーテンに損傷などを与えることがない。また、カーテンのレールへの取り付けや取り外しの作業時間を大幅に短縮することができる。
【発明を実施するための最良の形態】
【００２３】
以下、図面を用いて本発明の実施形態を説明する。図１は本発明に係るカーテンフックの実施形態を示す概略図である。１はカーテンフックであり、主杆２の上端部３は丸みを帯び、縦長の長円形を有する取付孔４を備えている。主杆２の下端から挿入杆５が上方に延び、更に挿入杆５の先端部６が主杆２と挿入杆５の根元部７との間に折り曲げられている。したがって、先端部６と主杆２との間に間隙８が形成され、挿入杆５と主杆１により縦長の空間部９が形成されている。
【００２４】
図２は本発明に係るカーテンフックを取り付けるためのカーテンテープを示す。カーテンテープ１０には、テープ長手方向に間隔をおいて、短冊部１１が縫い付けられている。短冊部１１のテープ長手方向両側端部は、縫い付け部１２によりテープ幅方向に縫い付けられている。更に、短冊部１１のテープ長手方向中央部も縫い付け部１３によりテープ幅方向に縫い付けられている。縫い付け部１３は、テープ幅方向の両端の一部を除いて縫い付けられている。
【００２５】
次に、カーテンフックの取り付け方法を説明する。まず、図３（ａ）に示すように、テープ１０の下方から、カーテンフック１の間隙８に縫い付け部１３を挟むように挿入する。更に、図３（ｂ）に示すように、縫い付け部１３をテープ幅方向に収縮させて、縫い付け部１３が空間部９に収まるようにカーテンフック１が取り付けられる。
【００２６】
図４は、カーテンテープ１０が縫い付けられたメッシュカーテンＣに、カーテンフック１が取り付けられた様子を示す。取り付けられた状態では、先鋭な先端部６を含む挿入杆５及び主杆２は、テープ１０の短冊部１１により覆われている。したがって、フックを付けたまま洗濯しても、挿入杆５の先端部６や他の先鋭な部分がカーテンＣのメッシュ地を損傷することがない。また、カーテンＣから突出している主杆２の上端部３も丸みを帯びているので、同様にメッシュ地を損傷することがない。後述するが２０はＳカンであり、カーテンフック１の上端部３の取付孔４をＳカン２０のフック部２２に掛けて取り付ける。
【００２７】
縫い付け部１３が空間部９に収まるようにカーテンフック１が取り付けられているので、洗濯中であっても、カーテンフック１が容易に抜けることはない。なお、使用するカーテンフックの形状に合わせて、短冊部１１の長さや幅、縫い付け部１３の長さを決定すればよい。
【００２８】
なお、カーテンフック１の材質が合成樹脂などであれば、先端部６と主杆２とが接触した状態で、間隙８を形成していなくてもよい。カーテンテープ１０に取り付ける際に、挿入杆５と主杆２とを拡げるようにカーテンフック１を変形させて、一時的に間隙を形成して、縫い付け部１３を該間隙に挿入すればよい。
【００２９】
次に、カーテンレールへの取り付けを説明する。既存のカーテンレール（図示しない）はレールを摺動するランナーを備え、該ランナーはフックを掛けるための吊りカンを備えている。このような既存のカーテンレールに取り付けるためには、２つのフック部を備えた所謂Ｓカンにより取り付けることができる。
【００３０】
図５は、本願発明に係るカーテンフックに好適に使用できるＳカンの一例を示す図である。図において、Ｓカン２０はフック部２１、２２を備えている。フック部２１は、ランナーの吊りカン（図示しない）に掛けられる。２４は吊りカンから外れないようにするための突起である。
【００３１】
もう一方のフック部２２には、カーテンフック１の上端部３の取付孔４が掛けられる。取付孔４が縦長になっているので、フック部２２に掛け易くなっている。また、フック部２２の先端部が外側に屈曲させ、取付孔４を掛け易くもしている。更に、表面に突条２５を備えたひれ部２３を設けている。カーテンフック１を掛けるとき、ひれ部２３を把持して作業がしやすくなっている。
【００３２】
メッシュ地に対する損傷を防止するためであれば、カーテンフックの上端部は、先鋭部のない他の形状であってもよい。例えば、図６（ｂ）に示すカーテンフック３１において、先端部３３は膨大部３４を備えた態様としてもよい。なお、主杆２、挿入杆５は、カーテンフック１と同様の構造である。
【００３３】
カーテンフック３１には、図６（ａ）に示すＳカン４０が好適に使用できる。Ｓカン４０は、カーテンフック３１の膨大部３４が嵌入可能な突起部４３を有する空洞部４２を備えている。したがって、膨大部３４を空洞部４２に嵌入させて、カーテンフック３１をＳカン４０に取り付けることができる。なお、Ｓカン２０と同様に、吊りカンに掛けるためのフック部４１と脱落防止のための突起４４も備えている。
【００３４】
図７（ａ）は、本発明に係るカーテンフックを取り付けるためのカーテンテープの他の例を示す。カーテンテープ１０には、テープ長手方向に間隔をおいて、短冊部１１が縫い付けられている。短冊部１１のテープ長手方向両側端部は、縫い付け部１２によりテープ幅方向に縫い付けられ、更に、短冊部１１のテープ幅方向の下１４が縫い付け部１４によりテープ長手方向に縫い付けられている。したがって、短冊部１１とカーテンテープ１０とにより袋部が形成されている。そして、短冊部１１のテープ長手方向中央部も縫い付け部１３によりテープ幅方向に縫い付けられている。縫い付け部１３は、テープ幅方向の両端の一部を除いて縫い付けられている。
【００３５】
図７（ｂ）は、図７（ａ）に示したカーテンテープにカーテンフックが取り付けられる様子を示す。フック１の挿入杆５が縫い付け部１３の下端と縫い付け部１４との間に挿入した後、カーテンフック１の間隙８に縫い付け部１３を挟むように挿入し、フック１を上方に引き上げ、縫い付け部１３が空間部９に収まるようにカーテンフック１が取り付けられる。したがって、テープ１０の縫い付け部１３の下端と縫い付け部１４との間隔は、フック１の挿入杆５の長さより大きいことが好ましい。
【００３６】
図７（ｃ）は、図７（ａ）に示したカーテンテープにカーテンフックが取り付けられた様子を示す。上述したように、短冊部１１が袋状に縫い付けられているので、短冊部１１フック１の挿入杆５の下端部も覆うことができ、洗濯時のカーテン損傷防止効果がより向上する。また、カーテンＣが取り付けられた状態では、カーテンテープ１０を含むカーテンＣの上端部は下から見上げられるので、外観上の観点からも好ましい。
【図面の簡単な説明】
【００３７】
【図１】本発明に係るカーテンフックの一例を示す図である。
【図２】本発明に係るカーテンフックを取り付けるためのカーテンテープの一例を示す図である。
【図３】カーテンフックがカーテンテープに取り付けられる様子を示す図である。
【図４】カーテンフックがカーテンテープに取り付けられた様子を示す図である。
【図５】本発明に係るカーテンフックに好適に使用できるＳカンの一例を示す図である。
【図６】（ａ）はＳカンの他の例を示す図、（ｂ）は本発明に係るカーテンフックの他の例を示す図である。
【図７】（ａ）は本発明に係るカーテンフックを取り付けるためのカーテンテープの他の例を示す図、（ｂ）は（ａ）に示したカーテンテープにカーテンフックが取り付けられる様子を示す図、（ｃ）は（ａ）に示したカーテンテープにカーテンフックが取り付けられた様子を示す図である。
【符号の説明】
【００３８】
１、３１        カーテンフック
２、３２        主杆
５、３５        挿入杆
１０            カーテンテープ
１１            短冊部
１２、１３      縫い付け部
２０、４０      Ｓカン
【図１】
2006312024.tif 000003
【図２】
2006312024.tif 000004
【図３】
2006312024.tif 000005
【図４】
2006312024.tif 000006
【図５】
2006312024.tif 000007
【図６】
2006312024.tif 000008
【図７】
2006312024.tif 000009